(57)【要約】【課題】本発明の課題は、短期間だけ暖房を必要とする地域に適した弱めの暖房とを行うことができる安価な空調機を提供することにある。【解決手段】空調機１では、暖房能力が冷房能力以下に抑えられており、さらに冷房能力Ｐ［ｋＷ］と、四路切換弁の口径ｄ［ｍｍ］との比Ｐ／ｄが０．１〜０．８の範囲内に設定され、又は冷房能力Ｐ［ｋＷ］と、四路切換弁１５内の流路のうち最も狭くなる部分の流路断面積Ｓ［ｍｍ2］との比Ｐ／Ｓが０．０１〜０．１３の範囲内に設定されている。その結果、通常の暖房運転に使用される四路切換弁よりも小さくできるので、低コスト化を図ることができる。【選択図】図６
2016102638.tif 000002
【特許請求の範囲】
【請求項１】
圧縮機（１３）、熱源側熱交換器（１７）、膨張機構（１９）、及び利用側熱交換器（１１）を順に接続して冷媒回路を構成し、前記利用側熱交換器（１１）が凝縮器として機能するときの暖房能力を、前記利用側熱交換器（１１）が蒸発器として機能するときの冷房能力以下にした空調機であって、
前記冷媒回路において冷房運転を行う接続状態と暖房運転を行う接続状態とを切り換える四路切換弁（１５）を備え、
前記冷房能力Ｐ［ｋＷ］と、前記四路切換弁（１５）の口径ｄ［ｍｍ］との比Ｐ／ｄが、０．１〜０．８の範囲内である、
空調機（１）。
【請求項２】
圧縮機（１３）、熱源側熱交換器（１７）、膨張機構（１９）、及び利用側熱交換器（１１）を順に接続して冷媒回路を構成し、前記利用側熱交換器（１１）が凝縮器として機能するときの暖房能力を、前記利用側熱交換器（１１）が蒸発器として機能するときの冷房能力以下にした空調機であって、
前記冷媒回路において冷房運転を行う接続状態と暖房運転を行う接続状態とを切り換える四路切換弁（１５）を備え、
前記冷房能力Ｐ［ｋＷ］と、前記四路切換弁（１５）内の流路のうち最も狭くなる部分の流路断面積Ｓ［ｍｍ2］との比Ｐ／Ｓが、０．０１〜０．１３の範囲内である、
空調機（１）。
【発明の詳細な説明】
【技術分野】
【０００１】
本発明は、空調機に関し、特に、暖房能力が冷房能力よりも小さい空調機に関する。
【背景技術】
【０００２】
ＡＳＥＡＮ、中南米などで使用されるルームエアコンは、ほとんどが冷房専用である（例えば、特許文献１：特開２００８−９６０８８号公報参照）。しかし、そのような地域でも例えば高地においては、短期間ではあるものの気温が５℃程度まで低下し、何らかの暖房を必要とする時期がある。
【発明の概要】
【発明が解決しようとする課題】
【０００３】
ユーザーは、その期間だけヒータなどの機器を用いて室内暖房をしているが、不便さは否めない。その一方、冷房専用地域において本格的なヒートポンプ機はオーバースペックであり、ユーザーの購入価格上昇を伴い市場流通を阻害する結果となっていた。
【０００４】
本発明の課題は、短期間だけ暖房を必要とする地域に適した弱めの暖房を行うことができる安価な空調機を提供することにある。
【課題を解決するための手段】
【０００５】
本発明の第１観点に係る空調機は、圧縮機、熱源側熱交換器、膨張機構、及び利用側熱交換器を順に接続して冷媒回路を構成し、利用側熱交換器が凝縮器として機能するときの暖房能力を、利用側熱交換器が蒸発器として機能するときの冷房能力以下にした空調機であって、冷媒回路において冷房運転を行う接続状態と暖房運転を行う接続状態とを切り換える四路切換弁を備えている。そして、冷房能力Ｐ［ｋＷ］と、四路切換弁の口径ｄ［ｍｍ］との比Ｐ／ｄが、０．１〜０．８の範囲内である。
【０００６】
この空調機では、暖房能力が冷房能力以下に抑えられており、通常の暖房運転に使用される四路切換弁よりも小さくできるので、低コスト化を図ることができる。
【０００７】
本発明の第２観点に係る空調機は、圧縮機、熱源側熱交換器、膨張機構、及び利用側熱交換器を順に接続して冷媒回路を構成し、利用側熱交換器が凝縮器として機能するときの暖房能力を、利用側熱交換器が蒸発器として機能するときの冷房能力以下にした空調機であって、冷媒回路において冷房運転を行う接続状態と暖房運転を行う接続状態とを切り換える四路切換弁を備えている。そして、冷房能力Ｐ［ｋＷ］と、四路切換弁内の流路のうち最も狭くなる部分の流路断面積Ｓ［ｍｍ2］との比Ｐ／Ｓが、０．０１〜０．１３の範囲内である。
【０００８】
この空調機では、暖房能力が冷房能力以下に抑えられており、通常の暖房運転に使用される四路切換弁よりも小さくできるので、低コスト化を図ることができる。
【発明の効果】
【０００９】
本発明の第１観点又は第２観点に係る空調機では、暖房能力が冷房能力以下に抑えられており、通常の暖房運転に使用される四路切換弁よりも小さくできるので、低コスト化を図ることができる。
【図面の簡単な説明】
【００１０】
【図１】本発明の一実施形態に係る空調機の構成図。
【図２】室内機の斜視図。
【図３】空調機の制御ブロック図。
【図４】霜付き抑制制御のフローチャート。
【図５】四路切換弁の斜視図。
【図６】四路切換弁のスライド台及びスライド弁周辺の断面図。
【発明を実施するための形態】
【００１１】
以下図面を参照しながら、本発明の実施形態について説明する。なお、以下の実施形態は、本発明の具体例であって、本発明の技術的範囲を限定するものではない。
【００１２】
（１）空調機１の構成
図１は、本発明の一実施形態に係る空調機１の構成図である。図１において、空調機１は、冷房運転および暖房運転が可能な冷凍装置であり、室内機２と、室外機３と、室外機３と室内機２とを接続するための液冷媒連絡配管７、及びガス冷媒連絡配管９とを備えている。空調機１の冷凍回路には、単一冷媒であるＲ３２が封入されている。
【００１３】
（１−１）室内機２
図２は、室内機２の斜視図である。図１及び図２において、室内機２は、室内熱交換器１１と、室内ファン３５とを有している。また、室内機２には、リモートコントロールユニット（以下、リモコン５２という。）が付帯されている。リモコン５２は、ユーザーの操作に応じて、室内機２及び室外機３に内蔵されている制御部と交信して空調機１を制御する。
【００１４】
（１−１−１）室内熱交換器１１
室内熱交換器１１は、伝熱管と多数のフィンとにより構成されたクロスフィン式のフィン・アンド・チューブ型熱交換器である。室内熱交換器１１は、冷房運転時には冷媒の蒸発器として機能して室内空気を冷却し、暖房運転時には冷媒の凝縮器として機能して室内空気を加熱する。
【００１５】
なお、室内熱交換器１１は、クロスフィン式のフィン・アンド・チューブ型熱交換器に限定されるものではなく、他の型式の熱交換器であっても良い。
【００１６】
（１−１−２）室内ファン３５
室内ファン３５は、クロスフローファンである。室内ファン３５は、ファン３５ａと、ファン３５ａを回転させるための室内ファンモータユニット３５ｂとを有している。ファン３５ａは、ＡＳ樹脂などの樹脂材料で、長細い円筒形状に形成されており、長軸が水平になるように配置される。
【００１７】
室内ファン３５の稼動によって、室内機２は前面側から内部に室内空気を吸入し、室内熱交換器１１において冷媒と熱交換させた後に、供給空気として室内に供給する。また、室内ファン３５は、室内熱交換器１１に供給する空気の風量を所定風量範囲において変更することができる。
【００１８】
（１−２）室外機３
図１において、室外機３は、主に、圧縮機１３、四路切換弁１５、室外熱交換器１７、膨張弁１９、及びアキュムレータ２１を有している。さらに、室外機３は室外ファン５５も有している。
【００１９】
（１−２−１）圧縮機１３
圧縮機１３は容量可変式圧縮機であり、インバータにより回転数が制御される。本実施形態において、圧縮機１３は１台のみであるが、これに限定されず、室内機２の接続台数等に応じて、２台以上の圧縮機が並列に接続されていても良い。
【００２０】
（１−２−２）四路切換弁１５
四路切換弁１５は、冷媒の流れの方向を切り換える弁である。冷房運転時、四路切換弁１５は圧縮機１３の吐出側と室外熱交換器１７のガス側とを接続するとともに圧縮機１３の吸入側（具体的には、アキュムレータ２１）とガス冷媒連絡配管９側とを接続する（冷房運転状態：図１の四路切換弁１５の実線を参照）。その結果、室外熱交換器１７は冷媒の凝縮器として、室内熱交換器１１は冷媒の蒸発器として機能する。
【００２１】
暖房運転時、四路切換弁１５は、圧縮機１３の吐出側とガス冷媒連絡配管９側とを接続するとともに圧縮機１３の吸入側と室外熱交換器１７のガス側とを接続する（暖房運転状態：図１の四路切換弁１５の破線を参照）。その結果、室内熱交換器１１は冷媒の凝縮器として、室外熱交換器１７は冷媒の蒸発器として機能する。
【００２２】
（１−２−３）室外熱交換器１７
室外熱交換器１７は、クロスフィン式のフィン・アンド・チューブ型熱交換器である。室外熱交換器１７は、冷房運転時には冷媒の凝縮器として機能し、暖房運転時には冷媒の蒸発器として機能する。室外熱交換器１７は、そのガス側が四路切換弁１５に接続され、その液側が膨張弁１９に接続されている。
【００２３】
（１−２−４）膨張弁１９
膨張弁１９は、冷媒回路内を流れる冷媒の圧力や流量等の調節を行う。膨張弁１９は、冷房運転時の冷媒回路における冷媒の流れ方向において室外熱交換器１７の下流側に配置されている。
【００２４】
（１−２−５）室外ファン５５
室外ファン５５は、吸入した室外空気を室外熱交換器１７に送風して冷媒と熱交換させる。室外ファン５５は、室外熱交換器１７に送風する際の風量を可変することができる。室外ファン５５は、プロペラファン等であり、ＤＣファンモータ等からなるモータによって駆動される。
【００２５】
（１−３）制御部５０
図３は、空調機１の制御ブロック図である。図３において、制御部５０はリモコン５２からの指令信号に基づいて、圧縮機１３の運転周波数、四路切換弁１５の切換動作、膨張弁１９の開度、および風向調整羽根駆動モータ６２の回転を制御する。
【００２６】
図１に示すように、制御部５０は、室内機２内に内蔵されている室内制御部５０ａと室外機３内に内蔵されている室外制御部５０ｂとを有している。室内制御部５０ａとリモコン５２との間では赤外線信号の送受信が行われる。室内制御部５０ａと室外制御部５０ｂとの間では信号の送受信がワイヤを介して行われる。
【００２７】
リモコン５２には、運転スイッチ２２、運転切換スイッチ２４、温度設定スイッチ２６、及び風向調整スイッチ６１が設けられている。
【００２８】
運転スイッチ２２は、操作される毎に空調機１の運転と停止とを交互に切り換える。運転切換スイッチ２４は、操作される毎に運転を自動→冷房→除湿→暖房の順に切り換える。温度設定スイッチ２６は、上押操作される毎に設定温度が上昇し、下押操作される毎に設定温度が降下する。
【００２９】
また。風向調整スイッチ６１が操作される毎に、制御部５０（室内制御部５０ａ）が風向調整羽根駆動モータ６２を制御し、風向調整羽根６３（図２参照）の上下遥動と任意位置固定とを交互に切り換える。
【００３０】
（１−４）各種センサ
空調機１には、サーミスタから成る室外熱交換器温度センサ４２、室内温度センサ４４、出口管温度センサ４６、及び外気温度センサ４８が設けられている。室外熱交換器温度センサ４２は、室外熱交換器１７に取付けられ、室外熱交換器１７の所定領域を流れる冷媒の温度を検知する。室内温度センサ４４は、室内機２の吸込口に取り付けられ、室内空気温度を検知する。出口管温度センサ４６は、暖房運転時に蒸発器として機能する室外熱交換器１７の冷媒出口配管に取り付けられ、冷媒出口配管の温度を検出する。外気温度センサ４８は、室外機３の周囲温度を検知する。そして、これらの温度センサの測定値に基づき、制御部５０が空調機１を運転制御する。
【００３１】
（２）空調機１の動作
空調機１では、四路切換弁１５によって、冷媒の循環サイクルを冷房運転時の循環サイクルおよび暖房運転時の循環サイクルのいずれか一方に切り換えることが可能である。
【００３２】
（２−１）冷房運転
冷房運転では、四路切換弁１５が第１状態（図１の実線）に設定される。そして、この状態で制御部５０が圧縮機１３を稼動させると、室外熱交換器１７が凝縮器となり、室内熱交換器１１が蒸発器となる蒸気圧縮冷凍サイクルが行われる。
【００３３】
圧縮機１３から吐出された高圧の冷媒は、室外熱交換器１７で室外の空気と熱交換して凝縮する。室外熱交換器１７を出た冷媒は、膨張弁１９を通過する際に減圧され、その後に室内熱交換器１１で室内の空気と熱交換して蒸発する。その際、空気は室内熱交換器１１によって冷却され、その冷却された空気が室内ファン３５を介して吹出口から室内へ吹き出される。室内熱交換器１１を出た冷媒は、圧縮機１３へ吸入されて圧縮される。
【００３４】
（２−２）暖房運転
暖房運転では、四路切換弁１５が第２状態（図１の点線）に設定される。そして、この状態で制御部５０が圧縮機１３を稼動させると、室外熱交換器１７が蒸発器となり、室内熱交換器１１が凝縮器となる蒸気圧縮冷凍サイクルが行われる。
【００３５】
圧縮機１３から吐出された高圧の冷媒は、室内熱交換器１１で室内の空気と熱交換して凝縮する。その際、空気は室内熱交換器１１で加温され、その加温された空気は室内ファン３５を介して吹出口から室内へ吹き出される。凝縮した冷媒は、膨張弁１９を通過する際に減圧された後、室外熱交換器１７で室外の空気と熱交換して蒸発する。室外熱交換器１７を出た冷媒は、圧縮機１３へ吸入されて圧縮される。
【００３６】
（３）霜付き抑制制御
通常、暖房運転時には所定運転時間毎に除霜運転が行われるが、本実施形態に係る空調機１では、霜付き抑制制御を実行することによって、除霜運転を回避している。以下、フローチャートを参照しながら、その動作を説明する。
【００３７】
図４は、霜付き抑制制御のフローチャートである。図４において、ステップＳ１で制御部５０は暖房運転指令が有るか否かを判定する。例えば、ユーザーがリモコン５２の運転スイッチ２２をオンしたとき、リモコン５２から運転開始信号が制御部５０に送られ、運転開始信号を受信した制御部５０は暖房運転指令が有ったと判定する。制御部５０は、暖房運転指令が有ると判定したときステップＳ２へ進み、暖房運転指令がないと判定したときは引き続き判定を継続する。
【００３８】
次に制御部５０は、ステップＳ２において外気温度センサ４８を介して外気温度Ｔｏを検出し、ステップＳ３へ進む。
【００３９】
次に制御部５０は、ステップＳ３において外気温度センサ４８の検出値である外気温度Ｔｏが所定外気温度Ｔｏｓ（例えば、５℃）を下回っているか否かを判定する。Ｔｏ＜Ｔｏｓであると判定したときは、ステップＳ１０へ飛び、圧縮機１３を起動せず、霜付き抑制制御を終了する。他方、制御部５０がＴｏ＜Ｔｏｓではないと判定したときは、ステップＳ４へ進む。
【００４０】
次に制御部５０は、ステップＳ４において圧縮機１３を起動して、ステップＳ５へ進む。ステップＳ５において、制御部５０は室外熱交換器温度センサ４２を介して室外熱交換器１７の所定領域の温度を検出する。
【００４１】
次に制御部５０は、ステップＳ６において室外熱交換器温度センサ４２の検出値から冷媒の蒸発温度Ｔｅを推定し、ステップＳ７へ進む。
【００４２】
次に制御部５０は、ステップＳ７において蒸発温度Ｔｅが閾値Ｔｓ１（例えば、４℃）を下回っているか否かを判定し、Ｔｅ＜Ｔｅ１であると判定したときはステップＳ８へ進み、Ｔｅ＜Ｔｅ１ではないと判定したときはステップＳ５へ戻る。
【００４３】
次に制御部５０は、ステップＳ８において圧縮機１３の垂下制御を実行する。室外熱交換器１７の冷媒の蒸発温度Ｔｅが閾値Ｔｓ１を下回ったことによって、圧縮機１３の運転周波数を現状のまま維持すると室外熱交換器１７に着霜するので、それを回避するためには蒸発圧力を高める必要がある。それゆえ、圧縮機１３の垂下制御が行われる。
【００４４】
なお、圧縮機１３の垂下制御中も、室外熱交換器温度センサ４２の検出値から蒸発温度Ｔｅを推定する動作、及び外気温度センサ４８を介して外気温度Ｔｏを検出する動作は継続している。
【００４５】
次に制御部５０は、ステップＳ９において蒸発温度Ｔｅが閾値Ｔｓ２（例えば、２℃）を下回ったか否か、或いは外気温度Ｔｏが所定外気温度Ｔｏｓ（例えば、５℃）を下回ったか否かを判定し、Ｔｅ＜Ｔｓ２又はＴｏ＜Ｔｏｓのいずれかが成立したと判定したときはステップＳ１０へ進んで圧縮機１３を停止する。
【００４６】
他方、制御部５０がＴｅ＜Ｔｓ２及びＴｏ＜Ｔｏｓのいずれも成立していないと判定したときはステップＳ５へ戻る。
【００４７】
以上にように、制御部５０は、外気温度Ｔｏが所定外気温度Ｔｏｓ（例えば、５℃）未満のときは、室外熱交換器１７が直ぐに着霜するので、暖房運転を開始しない。また、制御部５０は、外気温度ＴｏがＴｏｓ以上のときに暖房運転を開始しても、蒸発温度Ｔｅが閾値Ｔｓ１（例えば、４℃）未満になったら圧縮機１３を垂下制御して、室外熱交換器１７への着霜を抑制する。さらに、制御部５０は、上記垂下制御中に蒸発温度Ｔｅが閾値Ｔｓ２（例えば２℃）を下回るか、或いは外気温度Ｔｏが所定外気温度Ｔｏｓを下回ったときは、圧縮機１３を停止して室外熱交換器１７への着霜を防止する。
【００４８】
（４）変形例
（４−１）
上記実施形態では、室外熱交換器温度センサ４２の検出値に基づいて冷媒の蒸発温度Ｔｅを推定しているが、それに限定されるものではない。
【００４９】
例えば、出口管温度センサ４６は、暖房運転時に蒸発器として機能する室外熱交換器１７の冷媒出口配管に取り付けられて冷媒出口配管の温度を検出するので、制御部５０は出口管温度センサ４６の検出値から冷媒の蒸発器出口温度を推定することができ、さらにその推定値から冷媒の蒸発温度Ｔｅを推定することもできる。
【００５０】
（４−２）
制御部５０は、上記霜付き抑制制御の実行にもかかわらず室外熱交換器１７に着霜したと判断した場合、除霜運転を行ってもよい。
【００５１】
この変形例に係る空調機１では、圧縮機１３の吐出ガス温度を利用せず外気のみで室外熱交換器１７の除霜を行う。その結果、ホットガスデフロストを行うタイプの空調機との対比において、部品の小型化、低コスト化を図ることができる。
【００５２】
（５）霜付き抑制制御の導入に伴う四路切換弁１５の最適化
空調機１の能力が大きいほど冷媒の圧力損失が大きくなるので、四路切換弁１５も大型にする傾向がある。
【００５３】
しかし、本実施形態に係る空調機１では、暖房能力を冷房能力よりも小さく抑えているので、冷房能力に合った大きさの四路切換弁１５を選定することができる。また、そうすることにより、冷房能力よりも大きい暖房能力に合わせて選定された従来の四路切換弁よりも小型化を図ることができる。
【００５４】
ここでは、先ず、四路切換弁１５の構成、動作を説明した上で、四路切換弁１５の選定時の目安となる、冷房能力と四路切換弁１５の口径との関係について説明する。
【００５５】
（５−１）構成
図５は、四路切換弁１５の斜視図である。また、図６は、四路切換弁１５のスライド台１５３及びスライド弁１５５周辺の断面図である。
【００５６】
図５及び図６において、四路切換弁１５は、切換弁部１５Ａとパイロット電磁弁部１５Ｂとから成る。切換弁部１５Ａは、シリンダ１５１と、スライド台１５３（図６参照）と、スライド弁１５５（図６参照）と、パイロット管１５７とを有している。
【００５７】
スライド台１５３は、シリンダ１５１内の中央部分に配置された台であり、スライド弁１５５が摺動する。スライド台１５３には、ポートＰ２，Ｐ３，Ｐ４がシリンダの軸方向に沿って順に設けられている。
【００５８】
スライド弁１５５は、シリンダ１５１内に配置され、シリンダ１５１の軸方向に摺動自在である。また、スライド弁１５５は逆Ｕ字状に形成されている。
【００５９】
なお、シリンダ１５１においてスライド台１５３のポートＰ２に対向する位置にポートＰ１が設けられ、ポートＰ１には高圧配管Ｔ１の一端が接続される。
【００６０】
パイロット管１５７は、シリンダ１５１の両端部とパイロット電磁弁部１５Ｂとを連絡している。パイロット電磁弁部１５Ｂの動作によってシリンダ１５１の一端が高圧、他端が低圧となり、この圧力差によってスライド弁１５５がスライド台１５３上を移動し、ポートＰ１，Ｐ２，Ｐ３，Ｐ４の各連通相手が切り換わる。
【００６１】
ポートＰ１は、高圧配管Ｔ１が接続されて、圧縮機１３の高圧側と繋がる。ポートＰ３は、低圧配管Ｔ３が接続されて、圧縮機１３の低圧側と繋がる。ポートＰ２及びポートＰ４は、冷房運転時と暖房運転時とで高低圧が入れ替わるので、高圧に耐え得るように高圧配管Ｔ２、Ｔ４が接続されている。
【００６２】
パイロット電磁弁部１５Ｂは、パイロット弁ユニット１６１と、コイル１６３とを有している。パイロット弁ユニット１６１内には、バネ力で弁孔を閉じる方向に付勢された可動弁を電磁力で開方向に移動させることができる弁機構（図示せず）が内蔵されている。コイル１６３は、通電されたときに当該弁機構を開方向に動作させるための電磁力を発生させる。
【００６３】
パイロット弁ユニット１６１は、シリンダ１５１に与える高圧・低圧を高圧側配管、低圧側配管からパイロット管１６５，１６７を介して取り入れている。
【００６４】
（５−２）動作
上記構成の四路切換弁１５において、シリンダ１５１内のスライド弁１５５が図５の左側に位置し、ポートＰ１とポートＰ４とが連通し、ポートＰ２とポートＰ３とが連通しているとき、パイロット電磁弁部１５Ｂのコイル１６３に通電して励磁すると、シリンダ１５１の両端の圧力差はスライド弁１５５が右側に移動するような圧力差となり、スライド弁１５５が右側に移動する。その結果、ポートＰ１とポートＰ２とが連通し、ポートＰ３とポートＰ４とが連通する。
【００６５】
一方、逆方向に切り換えるときは、パイロット電磁弁部１５Ｂのコイル１６３への通電を止めて非励磁にすると、シリンダ１５１の両端の圧力差はスライド弁１５５が左側に移動するような圧力差となり、スライド弁１５５が左側に移動する。その結果、ポートＰ１とポートＰ４とが連通し、ポートＰ２とポートＰ３とが連通する。
【００６６】
（５−３）冷房能力と口径との関係
四路切換弁１５の上記のような動作に鑑みると、四路切換弁１５のポートＰ１，Ｐ２，Ｐ３，Ｐ４の内径（以下、口径という。）は、必要以上に大きいと大型化を招き、逆に小さいと圧損を招くので、適切なものを選択する必要がある。
【００６７】
本実施形態では、冷房能力よりも大きい暖房能力に合わせて選定された従来の四路切換弁よりも小型化を図るために、冷房能力と四路切換弁１５の口径との間に下記に説明する関係を維持させている。
【００６８】
具体的には、冷房能力をＰ［ｋＷ］、口径をｄ［ｍｍ］としたとき、
０．１＜Ｐ／ｄ＜０．８・・・（１）
の関係が維持されている。
【００６９】
なお、一般にポートＰ１，Ｐ２，Ｐ３，Ｐ４が四路切換弁１５内の流路のうち最も狭くなる部分であるが、仮に、ポートＰ１，Ｐ２，Ｐ３，Ｐ４よりも狭くなる部分が存在する場合、その最も狭くなる部分の流路断面積をＳ［ｍｍ2］としたとき、冷房能力Ｐ［ｋＷ］との間に、
０．０１＜Ｐ／Ｓ＜０．１３・・・（２）
の関係が維持される。
【００７０】
上記（１）式又は（２）式の関係が維持されていれば、暖房能力が冷房能力以下に抑えられている以上、通常の暖房運転に使用される四路切換弁よりも小さくできるので、低コスト化を図ることができる。
【００７１】
（６）特徴
空調機１では、暖房能力が冷房能力以下に抑えられており、さらに冷房能力Ｐ［ｋＷ］と、四路切換弁の口径ｄ［ｍｍ］との比Ｐ／ｄが０．１〜０．８の範囲内に設定され、又は冷房能力Ｐ［ｋＷ］と、四路切換弁１５内の流路のうち最も狭くなる部分の流路断面積Ｓ［ｍｍ2］との比Ｐ／Ｓが０．０１〜０．１３の範囲内に設定されている。
【００７２】
その結果、通常の暖房運転に使用される四路切換弁よりも小さくできるので、低コスト化を図ることができる。
【符号の説明】
【００７３】
１  空調機
１１  室内熱交換器（熱源側熱交換器）
１３  圧縮機
１５  四路切換弁
１７  室外熱交換器（利用側熱交換器）
１９  膨張弁（膨張機構）
【先行技術文献】
【特許文献】
【００７４】
【特許文献１】特開２００８−９６０８８号公報
【図１】
2016102638.tif 000003
【図２】
2016102638.tif 000004
【図３】
2016102638.tif 000005
【図４】
2016102638.tif 000006
【図５】
2016102638.tif 000007
【図６】
2016102638.tif 000008